(57)【要約】      （修正有）【課題】タオルの脱水及び殺菌を高速に実行し、洗浄の衛生性を促進させるタオル脱水機を提供する。【解決手段】タオル脱水機は、外筒１０、内筒２０、及び駆動ユニット３０を備える。内筒は外筒内に枢設され、且つ内筒の周縁及び底面には一連の孔部２２が形成され、内筒の底部には外筒に枢設される心棒２３を有し、駆動モーター３２の出力軸は能動素子３２０を有する。また、内筒の心棒には受動素子３４が設置され、駆動モーターの能動素子により受動素子が作動されると共に心棒により同調されることで内筒が連動されて高速回転する。これにより、タオルの水分が分離され、タオルの脱水を行う。また、除去された水分は外筒内の底部の集水案内面１３により排出口１４に集中され、水分がスムーズに排出される。【選択図】図２
0003197710.tif 000002
【実用新案登録請求の範囲】
【請求項１】
開口が上を向く収納用キャビティを有する外筒と、
外筒の収納用キャビティ内に枢設されると共に開口が上を向く脱水キャビティを有し、且つそれの周縁及び底面には一連の孔部が形成され、それの底部には前記外筒に枢設される心棒を有する内筒と、
外筒に駆動モーターが設置され、前記駆動モーターの出力軸には能動素子を有し、且つ内筒の心棒には受動素子が設置され、駆動モーターの能動素子により受動素子が作動されると共に心棒により同調されることで内筒が連動されて高速回転する駆動ユニットを備えることを特徴とするタオル脱水機。
【請求項２】
開口が上を向く収納用キャビティを有する外筒と、
外筒の収納用キャビティ内に枢設されると共に開口が上を向く脱水キャビティを有し、且つそれの周縁及び底面には一連の孔部が形成され、それの底部には前記外筒に枢設される心棒を有する内筒と、
外筒にレール座が設置され、且つ前記レール座は内筒の心棒に対応する一側に切欠け部が形成され、レール座内にはプッシュロッドが滑動可能に設置され、前記プッシュロッドは心棒の一側に歯車面を有し、また、内筒の心棒にはプッシュロッドの歯車面に噛合されるための受動素子が設置され、プッシュロッドを受動素子として作動されると共に心棒により同調されることで内筒が連動されて高速回転する駆動ユニット、を備えることを特徴とするタオル脱水機。
【請求項３】
前記外筒は収納用キャビティ内の底部に何れかの一側に向けて傾斜して集中する集水案内面を有し、且つ外筒の底縁は集水案内面の最低点に外部に連通される排出口が連設され、排水管に連接されることを特徴とする、請求項１または請求項２記載のタオル脱水機。
【請求項４】
前記外筒は収納用キャビティの開口端に支持棒が設置され、前記支持棒の内面には外筒の軸座に対応する軸座を有し、内筒は脱水キャビティの開口端に支持棒が設置され、前記支持棒の上面には外筒の支持棒の軸座に対応して枢設される軸部を有し、内筒が外筒内で安定的に高速回転することを特徴とする、請求項１または請求項２項記載のタオル脱水機。
【請求項５】
前記外筒は上縁に隣接する箇所に軸部が設けられると共に軸部に対応するカバーを枢設させ、外筒の収納用キャビティを任意で開閉させるのに用いられることを特徴とする、請求項１または請求項２記載のタオル脱水機。
【請求項６】
前記駆動ユニットの受動素子は一方向素子が内筒の心棒に設置されることで、駆動ユニットが内筒を作動させて一方向にのみ高速回転させることを特徴とする、請求項１または請求項２記載のタオル脱水機。
【請求項７】
前記外筒には滅菌モジュールが内設され、前記滅菌モジュールは外筒の内壁にランプシェードを有するランプソケットが設置され、且つランプソケットにはランプシェードにより保護される滅菌ランプが設置されることを特徴とする、請求項１または請求項２記載のタオル脱水機。
【考案の詳細な説明】
【技術分野】
【０００１】
本考案は、構造が単純なタオル脱水機であり、タオルの脱水及び殺菌を高速に実行し、洗浄の衛生性を促進させるタオル脱水機に関する。
【背景技術】
【０００２】
タオルを使用して拭き掃除を行う場合、通常はタオルを濡らして拭き、拭き終わった後の濡れたタオルは手で絞って水分を除去した後に物干しに掛けて風で乾かす。
【考案の概要】
【考案が解決しようとする課題】
【０００３】
しかしながら、単純に手で絞っただけではタオルに含まれる水分を十分に脱水できない。また、タオルが大き過ぎて絞りにくかったり、窓のない浴室やトイレでは風で乾かすのが難しい。このため、タオルが湿って悪臭を発し、細菌が繁殖して不衛生極まりなかった。
【０００４】
また、洗濯機の脱水機能を使用してタオルの脱水を行うことも可能だが、但し洗濯機は大きいため設置場所が限られる。さらには、洗濯機の容量は大きいため、タオルを乾かすためにのみ使用するのは経済的とは言えず、よって、使用者が毎回洗濯機でタオルを脱水するのは現実的ではない。
【０００５】
そこで、本考案者は上記の欠点が改善可能と考え、鋭意検討を重ねた結果、合理的設計で上記の課題を効果的に改善する本考案のタオル脱水機の提案に到った。
【０００６】
本考案は、以上の実情に鑑みなされたものであって、上記課題解決のため、本考案は、有効的に脱水可能なタオル脱水機を提供することを主目的とする。こうして、タオル等の小型の織物の脱水を行い、タオルを風で乾かす効果を強化し、衛生面を向上させる。
【０００７】
本考案の他の目的は、構造が単純なタオル脱水機を提供し、回転の安定性を高め、利便性及び実用性を向上させる。
【課題を解決するための手段】
【０００８】
上述した課題を解決し、上記目的を達成するための本考案は、本考案に係るタオル脱水機は、開口が上を向く収納用キャビティ（１１）を有する外筒（１０）と、外筒（１０）の収納用キャビティ（１１）内に枢設されると共に開口が上を向く脱水キャビティ（２１）を有し、且つそれの周縁及び底面には一連の孔部（２２）が形成され、それの底部には前記外筒（１０）に枢設される心棒（２３）を有する内筒（２０）と、外筒（１０）に駆動モーター（３２）が設置され、前記駆動モーター（３２）の出力軸には能動素子（３２０）を有し、且つ内筒（２０）の心棒（２３）には受動素子（３４）が設置され、駆動モーター（３２）の能動素子（３２０）により受動素子（３４）が作動されると共に心棒（２３）により同調されることで内筒（２０）が連動されて高速回転する駆動ユニット（３０）を備えることを特徴とする。
【考案の効果】
【０００９】
これにより、上述の技術手段を具体化させて、本考案に係る駆動モーターにより内筒を作動させて高速回転させ、タオルの水分を分離させ、タオルの脱水の目的を達成させる。また、除去された水分は外筒内の底部の集水案内面により排出口に集中され、水分がスムーズに排出される。風で乾かしやすくすることで、タオルが湿っているために悪臭や細菌が発生する可能性を排し、より衛生に保つ。故に、本考案に係るタオル脱水機は従来のものに比べてより効果的であり、付加価値も高く、経済性も向上する。
【図面の簡単な説明】
【００１０】
【図１】本考案の第１実施形態によるタオル脱水機を示す外観斜視図である。
【図２】本考案の第１実施形態によるタオル脱水機の展開図であり、各部材の態様及びその相対関係を説明する。
【図３】本考案のタオル脱水機の構成を示す側面の断面図である。
【図４】本考案のタオル脱水機を使用する際、側面から見た作動の概略図である。
【図５】本考案の他の実施形態によるタオル脱水機の展開図であり、各部材の態様及びその相対関係を説明する。
【図６】本考案の他の実施形態に係るタオル脱水機を使用する際、側面から見た作動の概略図である。
【考案を実施するための形態】
【００１１】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１２】
（第１実施形態）
以下、第１実施形を図１〜６に基づいて説明する。なお、本考案のタオル脱水機における具体的な実施形態及び構成部材に関して、前後左右、頂部及び底部、上部及び下部、並びに水平及び垂直とは、説明を理解しやすくするために用いられるのみであり、本考案を制限するものではなく、部材を如何なる位置や空間の方向にも制限させない。図式及び明細書におけるサイズは、本考案の特許出願範囲を逸脱しない限り、本考案の具体な実施形態に係る設計及び需要に応じて改変可能である。
【００１３】
本考案に係るタオル脱水機の詳細な構成については、図１、図２、及び図３に図示するように、外筒（１０）、外筒（１０）内に枢設される内筒（２０）、及び内筒（２０）を駆動させて高速回転させるための駆動ユニット（３０）を備える。
【００１４】
上述の外筒（１０）は開口が上を向く収納用キャビティ（１１）を有し、且つ外筒（１０）内の底部の中央には貫通される軸座（１２）を有し、また、外筒（１０）は収納用キャビティ（１１）内の底部に何れか一側に傾斜して集中する集水案内面（１３）を有する。なお、外筒（１０）の底縁は集水案内面（１３）の最低点に外部に連通される排出口（１４）が連設され、排水管に連接される（図示せず）。外筒（１０）は収納用キャビティ（１１）の開口端に支持棒（１５）が設置され、前記支持棒（１５）の内面には外筒（１０）の軸座（１２）に対応する軸座（１６）を有し、前述の内筒（２０）を対応させて枢設させる。外筒（１０）は上縁に隣接する箇所に軸部（１７）が設けられると共に軸部（１９）に対応するカバー（１８）を枢設させ、外筒（１０）の収納用キャビティ（１１）を任意で開閉させる。
【００１５】
なお、上述の内筒（２０）は外筒（１０）の収納用キャビティ（１１）内に設置されると共に開口が上を向く脱水キャビティ（２１）を有する。内筒（２０）の周縁及び底面には一連の孔部（２２）が形成され、内筒（２０）内の水分を外筒（１０）の内部に排出させるのに利用される。内筒（２０）外の底部の中央には心棒（２３）を有し、前記心棒（２３）は軸部材（２４）により外筒（１０）内の底部の軸座（１２）に枢設される。心棒（２３）は外筒（１０）の底部から突出し、前述の駆動ユニット（３０）を連動させる。内筒（２０）は脱水キャビティ（２１）の開口端に支持棒（２５）が設置され、前記支持棒（２５）の上面には外筒（１０）の支持棒（１５）の軸座（１６）に対応するように枢設される軸部（２６）を有し、内筒（２０）が外筒（１０）内で安定的に高速回転する。
【００１６】
また、上述の駆動ユニット（３０）は外筒（１０）の底部にサドル（３１）が覆設され、前記サドル（３１）内にはモーター座（３１０）を有する。サドル（３１）はモーター座（３１０）内に駆動モーター（３２）が設置され、前記駆動モーター（３２）の出力軸は能動素子（３２０）を有する。前述の外筒（１０）に突出される内筒（２０）の心棒（２３）には一方向素子（３５）により受動素子（３４）が設置される。受動素子（３４）は、限定するわけではないが、一方向軸受け或いは一方向ラチェット機構であり、駆動モーター（３２）の能動素子（３２０）が受動素子（３４）を作動させ、心棒（２３）により同調されて内筒（２０）が連動されて一方向に高速回転する。また、能動素子（３２０）及び受動素子（３４）は、限定するわけではないが、相互に噛合する歯車或いはベルトにより連結されるベルト車である。
【００１７】
さらに、外筒（１０）には滅菌モジュール（４０）が内設され、前記滅菌モジュール（４０）は外筒（１０）の内壁にランプシェードを有するランプソケット（４１）が設置される。また、ランプソケット（４１）にはランプシェードにより保護される滅菌ランプ（４２）が設置され、前記滅菌ランプ（４２）は、制限されるわけではないが、紫外線ランプ或いは光触媒ランプ等である。このように、構造が単純になり、且つ迅速に脱水可能なタオル脱水機が構成される。
【００１８】
上述の構造設計により、本考案に係るタオル脱水機は実際の使用において、図１、図３、及び図４に示すように、脱水する場合、使用者が外筒（１０）のカバー（１８）を開け、タオルや靴下等の小型の織物を内筒（２０）の脱水キャビティ（２１）内に入れ、駆動ユニット（３０）の駆動モーター（３２）を駆動させる。駆動モーター（３２）は能動素子（３２０）により内筒（２０）の心棒（２３）の受動素子（３４）を連動させて、駆動モーター（３２）が内筒（２０）を作動させて高速回転させ、タオルの水分を分離させ、水分は内筒（２０）の孔部（２２）から外筒（１０）内に排出され、タオルを脱水して乾かす目的を達成させる。また、除去された水分は外筒（１０）内の底部の集水案内面（１３）を経て排出口（１４）に集中されてスムーズに排出され、風で乾かすことでタオルが湿っているために悪臭を発し、細菌が繁殖するのを回避させ、衛生面を改善させる。さらには、滅菌モジュール（４０）の滅菌ランプ（４２）は脱水作業中或いは作業後に起動され、殺菌の目的を更に達成させ、タオルを風で乾かす過程で細菌が繁殖するのを防ぎ、より有効的に衛生さを保つ。
【００１９】
（第２実施形態）
また、図５及び図６は本考案の第２実施形態である。前記駆動ユニット（３０）は外筒（１０）の底部にサドル（３１）が覆設され、且つサドル（３１）内にはレール座（３６）を有する。また、レール座（３６）は心棒（２３）の受動素子（３４）に対応する箇所に切欠け部（３６０）が形成される。なお、レール座（３６）内にはプッシュロッド（３７）が滑動可能に設置され、前記プッシュロッド（３７）は前述の受動素子（３４）に噛合される歯車面（３８）を有する。これにより、使用者が前記プッシュロッド（３７）を押し引きする伸縮動作により、プッシュロッド（３７）の歯車面（３８）が受動素子（３４）を駆動させ、心棒（２３）により連動されて内筒（２０）が一方向に高速回転する目的を達成させ、これは前述と同様の目的及び効果を有する。
【００２０】
以上、本考案はこのような実施形態に限定されるものではなく、考案の趣旨を逸脱しない範囲において、種々の形態で実施することができる。
【符号の説明】
【００２１】
（１０）外筒
（１１）収納用キャビティ
（１２）軸座
（１３）集水案内面
（１４）排出口
（１５）支持棒
（１６）軸座
（１７）軸部
（１８）カバー
（１９）軸部
（２０）内筒
（２１）脱水キャビティ
（２２）孔部
（２３）心棒
（２４）軸部材
（２５）支持棒
（２６）軸部
（３０）駆動ユニット
（３１）サドル
（３１０）モーター座
（３２）駆動モーター
（３２０）能動素子
（３４）受動素子
（３５）一方向素子
（３６）レール座
（３６０）切欠け部
（３７）プッシュロッド
（３８）歯車面
（４０）滅菌モジュール
（４１）ランプソケット
（４２）滅菌ランプ
【図１】
0003197710.tif 000003
【図２】
0003197710.tif 000004
【図３】
0003197710.tif 000005
【図４】
0003197710.tif 000006
【図５】
0003197710.tif 000007
【図６】
0003197710.tif 000008